(57)【要約】【課題】人間の通行の邪魔になることのないペット用ドアパネルを提供する。【解決手段】所定の方向に延長された鴨居と敷居とに設けられた溝に移動自在に設けられた引き戸タイプのドアに用いるペット用ドアパネルにおいて、上端面に設けられた略楕円柱形状の第１の凸部と下端面に設けられるとともに上記第１の凸部と同軸線上に設けられた略楕円柱形状の第２の凸部と下方側に猫や犬が出入り可能な扉とを有するパネルと、鴨居に設けられた溝に固定的に配設されるとともに内部の対向する位置に板バネが設けられた第１の固定手段と、敷居に設けられた溝に固定的に配設されるとともに内部の対向する位置に板バネが設けられた第２の固定手段とを有し、パネルに設けられた第１の凸部を第１の固定手段の内部の板バネに挟持させるとともに、パネルに設けられた第２の凸部を第２の固定手段の内部の板バネに挟持させて、パネルを鴨居と敷居との間に立設する。【選択図】        図１
2011149206.tif 000002
【特許請求の範囲】
【請求項１】
上端面に設けられた略楕円柱形状の第１の凸部と、下端面に設けられるとともに前記第１の凸部と同軸線上に設けられた略楕円柱形状の第２の凸部と、下方側に猫や犬が出入り可能な扉とを有するパネルと、
鴨居に設けられた溝に固定的に配設されるとともに、内部の対向する位置に板バネが設けられた第１の固定手段と、
敷居に設けられた溝に固定的に配設されるとともに、内部の対向する位置に板バネが設けられた第２の固定手段と
を有し、
前記パネルに設けられた前記第１の凸部を前記第１の固定手段の内部の板バネに挟持させるとともに、前記パネルに設けられた前記第２の凸部を前記第２の固定手段の内部の板バネに挟持させて、前記パネルを前記鴨居と前記敷居との間に立設する
ことを特徴とするペット用ドアパネル。
【請求項２】
請求項１に記載のペット用ドアパネルにおいて、
前記第１の固定手段および前記第２の固定手段の内部の対向する位置に設けられた板バネは略Ｍ字形状であって、前記第１の凸部あるいは前記第２の凸部を該板バネの山側部位あるいは谷側部位によって把持して、該板バネの付勢力によって固定する
ことを特徴とするペット用ドアパネル。
【請求項３】
請求項１または２のいずれか１項に記載のペット用ドアパネルにおいて、
前記パネルは複数の部材により構成される
ことを特徴とするペット用ドアパネル。
【請求項４】
請求項１、２または３のいずれか１項に記載のペット用ドアパネルにおいて、
前記パネルは木製あるいは樹脂製である
ことを特徴とするペット用ドアパネル。
【発明の詳細な説明】
【技術分野】
【０００１】
本発明は、ペット用ドアパネルに関し、さらに詳細には、引き戸タイプのドアに用いられるペット用ドアパネルに関する。
【背景技術】
【０００２】
一般に、犬や猫などを室内で飼っている場合には、犬や猫が室内を自由に移動することができるように、各部屋に設けられたドアを犬や猫が通れる程度に開放しているものである。
【０００３】
しかしながら、各部屋のドアを犬や猫が通れる程度に開放していると、冬場や夏場などに冷暖房をかける際には、室内の温度管理が充分に行えず、冷暖房の効率が低下してしまっていた。
【０００４】
こうした問題を解決する製品として、ペット用のドアパネルが知られており、既に市販されている。
【０００５】
このペット用のドアパネルは、ドアのタイプが引き戸や開き戸などによって様々なタイプのものがあり、例えば、引き戸タイプのドアの場合には、所定の幅を有し、引き戸の高さと同程度の高さを有するとともに、下方側に犬や猫が通れる程度の大きさの扉が設けられたパネルを引き戸の鴨居や敷居といった戸枠に固定的に配設するものである。
【０００６】
しかしながら、部屋と部屋とを仕切るドアにこうしたペット用ドアパネルが固定的に配設されていると、大きな荷物を持って移動する際などに荷物がペット用ドアパネルにぶつかって荷物の移動ができないために、ペット用ドアパネルを一旦外さなければならなかったり、人間が移動する際にペット用ドアパネルにぶつかって怪我をしてしまうなど、ペット用ドアパネルが通行の邪魔になるという問題点が指摘されていた。
【０００７】
なお、本願出願人が特許出願のときに知っている先行技術は、文献公知発明に係る発明ではないため、本願明細書に記載すべき先行技術文献情報はない。
【発明の概要】
【発明が解決しようとする課題】
【０００８】
本発明は、上記した従来の技術の有する種々の問題点に鑑みてなされたものであり、その目的とするところは、人間の通行の邪魔になることのないペット用ドアパネルを提供しようとするものである。
【課題を解決するための手段】
【０００９】
上記目的を達成するために、本発明は、所定の方向に延長された鴨居と敷居とに設けられた溝に移動自在に設けられた引き戸タイプのドアに用いるペット用ドアパネルにおいて、上端面に設けられた略楕円柱形状の第１の凸部と、下端面に設けられるとともに上記第１の凸部と同軸線上に設けられた略楕円柱形状の第２の凸部と、下方側に猫や犬が出入り可能な扉とを有するパネルと、鴨居に設けられた溝に固定的に配設されるとともに、内部の対向する位置に板バネが設けられた第１の固定手段と、敷居に設けられた溝に固定的に配設されるとともに、内部の対向する位置に板バネが設けられた第２の固定手段とを有し、上記パネルに設けられた上記第１の凸部を上記第１の固定手段の内部の板バネに挟持させるとともに、上記パネルに設けられた上記第２の凸部を上記第２の固定手段の内部の板バネに挟持させて、上記パネルを上記鴨居と上記敷居との間に立設するようにしたものである。
【００１０】
また、本発明は、上記した発明において、上記第１の固定手段および上記第２の固定手段の内部の対向する位置に設けられた板バネは略Ｍ字形状であって、上記第１の凸部あるいは上記第２の凸部を該板バネの山側部位あるいは谷側部位によって把持して、該板バネの付勢力によって固定するようにしたものである。
【００１１】
また、本発明は、上記した発明において、上記パネルは複数の部材により構成されるようにしたものである。
【００１２】
また、本発明は、上記した発明において、上記パネルは木製あるいは樹脂製であるようにしたものである。
【発明の効果】
【００１３】
本発明は、以上説明したように構成されているので、人間の通行の邪魔になることがくなるという優れた効果を奏するものである。
【図面の簡単な説明】
【００１４】
【図１】図１は、本発明によるペット用ドアパネルを示す概略構成説明図である。
【図２】図２は、本発明によるペット用ドアパネルを構成する各部材を示す概略構成斜視説明図である。
【図３】図３は、パネルを構成する各部材を示す概略構成斜視説明図であり、図３（ａ）（ｂ）は、上方部材を示す概略構成斜視説明図であり、図３（ｃ）（ｄ）は、中間部材を示す概略構成斜視説明図であり、図３（ｅ）（ｆ）は、下方部材を示す概略構成斜視説明図である。
【図４】図４（ａ）（ｂ）（ｃ）（ｄ）は、固定部を示す概略構成斜視説明図である。
【図５】図５（ａ）は、固定部を鴨居に固定した状態を示す説明図であり、図５（ｂ）は、固定部を敷居に固定した状態を示す説明図である。
【図６】図６は、本発明によるペット用ドアパネルを設置した状態を示す説明図である。
【図７】図７（ａ）（ｂ）（ｃ）は、パネルの回動範囲を示す説明図であり、図７（ｄ）（ｅ）は、パネルの上面および下面に設けられた凸部が板バネによって挟持される状態を示す説明図である。
【図８】図８は、本発明によるペット用ドアパネルの変形例を示す概略構成斜視説明図である。
【図９】図９は、本発明によるペット用ドアパネルの変形例を示す概略構成斜視説明図である。
【発明を実施するための形態】
【００１５】
以下、添付の図面を参照しながら、本発明によるペット用ドアパネルの実施の形態の一例を詳細に説明するものとする。
【００１６】
ここで、図１には、本発明によるペット用ドアパネルを示す概略構成斜視説明図が示されており、図２には、図１に示すペット用ドアパネルを構成する各部材を示す斜視説明図が示されている。
【００１７】
この図１に示す本発明によるペット用ドアパネル１０は、猫や犬が出入り可能な扉１４が下方側に設けられたパネル１２と、鴨居に固定されるとともに、パネル１２の上部１２ａの右方側に設けられた凸部１２ａａと嵌合してパネル１２を鴨居に固定する固定部１６と、敷居に固定されるとともに、パネル１２の下部１２ｂの右方側に設けられた凸部１２ｂａと嵌合してパネル１２を敷居に固定する固定部１８とを有して構成されている。
【００１８】
より詳細には、パネル１２は、上方部材１２−１と、中間部材１２−２、１２−３と、下方部材１２−４との４つの部材を接続することにより形成されている（図２を参照する。）。なお、パネル１２を構成する各部材は、具体的には、木を成形して作製されている。
【００１９】
この上方部材１２−１と中間部材１２−２、１２−３と下方部材１２−４とは、左右の側面が円弧状に加工された略板形状であり、接続してパネル１２を形成する際にパネル１２が一枚の板として見えるように、幅方向に長さや厚みなどはそれぞれ同じになるように成形されている。
【００２０】
上方部材１２−１は、上端面１２−１ａの右方側において切り欠き部１２−１ａａが形成されており、この切り欠き部１２−１ａａに固定部１６と嵌合する凸部１２ａａが形成されている（図３（ａ）を参照する。）。なお、この凸部１２ａａは、長軸が幅方向と平行となる略楕円柱形状に形成されている。
【００２１】
また、上方部材１２−１は、下端面１２−１ｂにおいて中間部材１２−２に設けられた接続部１２−２ａａ（後述する。）と嵌合するための２つの孔部１２−１ｂａが形成されている（図３（ｂ）を参照する。）。
【００２２】
中間部材１２−２は、上端面１２−２ａに一対の凸部として形成される接続部１２−２ａａが形成されており、接続部１２−２ａａが上方部材１２−１の下端面１２−１ｂに形成された孔部１２−２ｂａに嵌合して、上方部材１２−１と中間部材１２−２とを接続することとなる（図３（ｃ）を参照する。）。
【００２３】
また、中間部材１２−２は、下端面１２−２ｂにおいて中間部材１２−３に設けられた接続部１２−３ａａ（後述する）と嵌合するための２つの孔部１２−２ｂａが形成されている（図３（ｄ）を参照する。）。
【００２４】
中間部材１２−３は、上端面１２−３ａに一対の凸部として形成される接続部１２−３ａａが形成されており、接続部１２−３ａａが中間部材１２−２の下端面１２−２ｂに形成された孔部１２−２ｂａに嵌合して、中間部材１２−２と中間部材１２−３とを接続することとなる（図３（ｃ）を参照する。）。
【００２５】
また、中間部材１２−３は、下端面１２−３ｂにおいて下方部材１２−４に設けられた接続部１２−４ａａ（後述する。）と嵌合するための２つの孔部１２−３ｂａが形成されている（図３（ｄ）を参照する。）。
【００２６】
下方部材１２−４は、上端面１２−４ａに一対の凸部として形成される接続部１２−４ａａが形成されており、接続部１２−４ａａが中間部材１２−３の下端面１２−３ｂに形成された孔部１２−３ｂａに嵌合して、中間部材１２−３と下方部材１２−４とを接続することとなる（図３（ｅ）を参照する。）。
【００２７】
また、下方部材１２−４は、下端面１２−４ｂの右方側において切り欠き部１２−４ｂａが形成されており、この切り欠き部１２−４ｂａに固定部１８と嵌合する凸部１２ｂａが形成されている（図３（ｆ）を参照する。）。なお、凸部１２ｂａは、凸部１２ａａと同軸線上に形成されるとともに、長軸が幅方向と平行となる略楕円柱形状に形成されている。
【００２８】
なお、接続部１２−２ａａと接続部１２−３ａａと接続部１２−４ａａとは、同様の形状でもよいし、それぞれ異なる形状としてもよい。
【００２９】
固定部１６は、左方側側面１６ａが円弧状に形成され、前方側側面１６ｂに切り欠き部１６ｃが形成されるとともに、下方側が開口した内部が中空の略箱体状であって、鴨居に設けられた溝の幅と略一致する幅Ｌ１と、当該溝の深さと略一致する高さＨ１とにより形成された凸部１６−１が上面１６ｄに設けられている（図４（ａ）を参照する。）。
【００３０】
また、前方側側面１６ｂに形成された切り欠き部１６ｃは、パネル１２の上部１２ａの右方側に設けられた凸部１２ａａを通して凸部１２ａａを固定部１６の内部に挿入することができる程度に開口している。
【００３１】
さらに、上面１６ｄに設けられた凸部１６−１の上面１６−１ａには、孔部１６−１ｂが形成されている。
【００３２】
固定部１６の内部には、右方側において略Ｍ字形状の板バネ２０の端部（ローマ字「Ｍ」の下方側の両端部に対応する。）を把持する把持部１６−２、１６−３が設けられるとともに、左方側において略Ｍ字形状の板バネ２２の端部を把持する把持部１６−４、１６−５が設けられている（図４（ｂ）を参照する。）。
【００３３】
この板バネ２０、２２が設置される間隔は、固定部１６の内部に挿入された凸部１２ａａを板バネ２０、２２により挟持することが可能なように、凸部１２ａａの大きさに応じて設定される。
【００３４】
また、固定部１８は、左方側側面１８ａが円弧状に形成され、前方側側面１８ｂに切り欠き部１８ｃが形成されるとともに、上方側が開口した内部が中空の略箱体状であって、敷居に設けられた溝の幅と略一致する幅Ｌ２と、当該溝に深さと略一致する高さＨ２とにより形成された凸部１８−１が下面１８ｄに設けられている（図４（ｄ）を参照する。）。
【００３５】
前方側側面１８ｂに形成された切り欠き部１８ｃは、パネル１２の下部１２ｂの右方側に設けられた凸部１２ｂａを通して凸部１２ｂａを固定部１８の内部に挿入することができる程度に開口している。
【００３６】
さらに、下面１８ｄに設けられた凸部１８−１の下面１８−１ａには、孔部１８−１ｂが形成されている。
【００３７】
固定部１８の内部には、右方側において略Ｍ字形状の板バネ２４の端部（ローマ字「Ｍ」の下方側の両端部に対応する。）を把持する把持部１８−２、１８−３が設けられるとともに、左方側において略Ｍ字形状の板バネ２６の端部を把持する把持部１８−４、１８−５が設けられている（図４（ｃ）を参照する。）。
【００３８】
この板バネ２４、２６が設置される間隔は、固定部１８の内部に挿入された凸部１２ｂａを板バネ２４、２６により挟持することが可能なように、凸部１２ｂａの大きさに応じて設定される。
【００３９】
なお、こうした固定部１６および固定部１８は、例えば、金属や樹脂材料などにより形成されている。
【００４０】
以上の構成において、引き戸にペット用ドアパネルを用いる場合には、まず、引き戸３０が移動自在に設けられている鴨居３２および敷居３６のうち、鴨居３２に設けられた溝３４に固定部１６を固定するとともに、敷居３６に設けられた溝３８に固定部１８を固定する。
【００４１】
即ち、固定部１６は、右方側側面１６ｅが柱４０に当接するようにして凸部１６−１を鴨居３２の溝３４にはめ込み、凸部１６−１の上面１６−１ａに設けられた孔部１６−１ｂから溝３４に釘やネジなどを打ち込むことにより、鴨居３２に設けられた溝３４に固定される（図５（ａ）を参照する。）。
【００４２】
また、固定部１８は、右方側側面１８ｅが柱４０に当接するようにして凸部１８−１を敷居３６の溝３８にはめ込み、凸部１８−２の下面１８−１ａに設けられた孔部１８−１ｂから溝３８に釘やネジなどを打ち込むことにより、敷居３６に設けられた溝３８に固定される（図５（ｂ）を参照する。）。
【００４３】
こうして固定部１６と固定部１８とをそれぞれ鴨居３２ならびに敷居３６に固定した後に、上方部材１２−１と中間部材１２−２、１２−３と下方部材１２−４とを接続してパネル１２を作製する。
【００４４】
４つの部材により作製されたパネル１２は、上部１２ａの右方側に設けられた凸部１２ａａを、固定部１６の前方側側面１６ｂに形成された切り欠き部１６ｃから固定部１６の内部に挿入して、凸部１２ａａを板バネ２０、２２に挟持させるとともに、下部１２ｂの右方側に設けられた凸部１２ｂａを、固定部１８の前方側側面１８ｂに形成された切り欠き部１８ｃから固定部１８の内部に挿入して、凸部１２ｂａを板バネ２４、２６に挟持させることにより、固定部１６、１８によってパネル１２を引き戸３０の移動線上に配置させる（図６を参照する。）。
【００４５】
このようにして、引き戸３０の移動線上に配置されたペット用ドアパネル１０は、固定部１６、１８に設けられた板バネ２０、２２、２４、２６の付勢力により凸部１２ａａと凸部１２ｂａとが固定されて、凸部１２ａａと凸部１２ｂａとの軸線を中心軸として矢印Ａ、Ｂ方向に容易に回動する（図７（ｂ）を参照する。）。
【００４６】
ここで、ペット用ドアパネル１０は、パネル１２が図７（ｂ）における実線で示す位置にある場合には、図７（ｅ）に示すように、凸部１２ａａは略Ｍ字形状の板バネ２０の谷側部位（ローマ字「Ｍ」を書く際において下方に位置する屈曲部位である。）２０ａと板バネ２２の谷側部位２２ａとによって挟持されるとともに、凸部１２ｂａは略Ｍ字形状の板バネ２４の谷側部位２４ａと板バネ２６の谷側部位２６ａによって挟持されることとなる。
【００４７】
また、パネル１２が図７（ａ）または図７（ｃ）で示す位置にある場合には、図７（ｄ）に示すように、凸部１２ａａは略Ｍ字形状の板バネ２０の山側部位（ローマ字「Ｍ」を書く際において上方に位置する屈曲部位である。）２０ｂと板バネ２２の山側部位２２ｂとによって挟持されるとともに、凸部１２ｂａは略Ｍ字形状の板バネ２４の山側部位２４ｂと板バネ２６の山側部位２６ｂとによって挟持されることとなる。
【００４８】
このため、ペット用ドアパネル１０は、図７（ｂ）の実線で示す位置および図７（ａ）（ｃ）で示す位置にある場合に、板バネ２０、２２、２４、２６の付勢力によって固定されるとともに、図７（ｂ）の破線で示す位置にある場合には、板バネ２０、２２、２４、２６の付勢力によって、図７（ｂ）の実線で示す位置あるいは図７（ａ）（ｃ）に示す位置までパネル１２が回動した後に固定されるようになる。
【００４９】
以上において説明したように、本発明によるペット用ドアパネル１０においては、引き戸３０を開けて人間が通る際に、当該人間がペット用ドアパネル１０に接触したとしても、凸部１２ａａと凸部１２ｂａを中心として容易に回動するため、ペット用ドアパネル１０によって怪我をすることが極めて少なくなる。
【００５０】
さらに、ペット用ドアパネル１０は、板バネ２０、２２、２４、２６の付勢力によって、図７（ａ）（ｃ）に示す状態に固定することができるため、荷物を搬送する場合などには、容易にパネル１２を回動させて、荷物の搬送の妨げにならないようにすることができる。
【００５１】
なお、上記した実施の形態は、以下の（１）乃至（７）に示すように変形することができるものである。
【００５２】
（１）上記した実施の形態においては、上方部材１２−１と中間部材１２−２、１２−３と下方部材１２−４との４つの部材によりパネル１２を構成する用にしたが、これに限られるものではないことは勿論であり、パネル１２を１つの部材で構成するようにしてもよいし、２つ、３つあるいは４つ以上の部材により構成するようにしてもよい。
【００５３】
また、例えば、図８に示すように、上方部材１２−１と中間部材１２−２、１２−３と下方部材１２−４との４つの部材の他に、調整部材１２−５を設けることにより、使用する引き戸の高さに合わせてパネル１２の高さを調整するようにしてもよい。
【００５４】
（２）上記した実施の形態においては、パネル１２を構成する上方部材１２−１と中間部材１２−２、１２−３と下方部材１２−４との４つの部材を木製としたが、この４つの部材を、例えば、ブラスチックなどの樹脂材料により成型するようにしてもよいことは勿論であり、パネル１２を樹脂材料により成型することにより、軽量化が可能になるとともに、量産も容易となる。
【００５５】
また、樹脂材料により成型する場合には、上方部材１２−１、中間部材１２−２、１２−３および下方部材１２−４の内部を中空に成型すれば、さらなる軽量化が可能になる。
【００５６】
（３）上記した実施の形態においては、固定部１６、１８を金属により構成するようにしたが、プラスチックなどの樹脂材料により成型するようにしてもよいことは勿論である。
【００５７】
（４）上記した実施の形態においては、図３（ｂ）（ｃ）（ｄ）（ｅ）に示すように、中間部材１２−２、１２−３および下方部材１２−４の上端面に一対の凸部として形成される接続部を設けるとともに、上方部材１２−１および中間部材１２−２、１２−３の下端面に当該接続部と嵌合するための孔部を設けることにより、４つの部材を接続してパネル１２を作製するようにしたが、これに限られるものではないことは勿論である。
【００５８】
例えば、図９に示すように、上方部材１２−１’の上面に設けられた凸部１２−１’ａを上端部材１２−６の下面に設けられた凹部（図示せず。）に嵌合させて、上方部材１２−１’と上端部材１２−６とを接続し、中間部材１２−２’上面に設けられた凸部１２−２’ａを上方部材１２−１’の下面に設けられた凹部（図示せず。）に嵌合させて、中間部材１２−２’と上方部材１２−１’とを接続し、中間部材１２−３’上面に設けられた凸部１２−３’ａを中間部材１２−２’の下面に設けられた凹部（図示せず。）に嵌合させて中間部材１２−３’と中間部材１２−２’とを接続し、下方部材１２−４’の上面に設けられた凸部１２−４’ａを中間部材１２−３’の下面に設けられた凹部（図示せず。）に嵌合させて下方部材１２−４’と中間部材１２−３’とを接続し、下方部材１２−４’の下面に設けられた凸部１２−４ｂ、１２−４ｃをそれぞれ下端部材１２−７の上面に設けられた孔部１２−７ａ、１２−７ｂに嵌合させて下方部材１２−４’と下端部材１２−７とを接続させることによりパネル１２を形成するようにしてもよい。
【００５９】
つまり、パネル１２を構成する部材は、接続する部材が互いに容易に分解されることにない接続機構を有するようにすればよい。
【００６０】
（５）上記した実施の形態においては、パネル１２を、単に、引き戸３０の移動線上に配置するようにしたが、パネル１２においてパネル１２と引き戸３０とが接する面、つまり、パネル１２の左方側側面にクッションなどの衝撃吸収材を貼り付けるようにしてもよい。
【００６１】
（６）上記した実施の形態においては、凸部１２ａａと凸部１２ｂａとを長軸が幅方向と平行となる略楕円柱形状としたが、長軸が幅方向と直交する略楕円柱形状としてもよいことは勿論である。
【００６２】
この場合、図７（ｂ）の実線で示す位置にパネル１２が位置するときは、図７（ｄ）に示すように、凸部１２ａａは略Ｍ字形状の板バネ２０の山側部位（ローマ字「Ｍ」を書く際において上方に位置する屈曲部位である。）２０ｂと板バネ２２の山側部位２２ｂとによって挟持されるとともに、凸部１２ｂａは略Ｍ字形状の板バネ２４の山側部位２４ｂと板バネ２６の山側部位２６ｂとによって挟持されることとなり、図７（ａ）（ｃ）で示す位置にパネル１２が位置するときは、図７（ｅ）に示すように、凸部１２ａａは略Ｍ字形状の板バネ２０の谷側部位（ローマ字「Ｍ」を書く際において下方に位置する屈曲部位である。）２０ａと板バネ２２の谷側部位２２ａとによって挟持されるとともに、凸部１２ｂａは略Ｍ字形状の板バネ２４の谷側部位２４ａと板バネ２６の谷側部位２６ａによって挟持されることとなる。
【００６３】
（７）上記した実施の形態ならびに上記した（１）乃至（６）に示す変形例は、適宜に組み合わせるようにしてもよい。
【産業上の利用可能性】
【００６４】
本発明は、ペット用ドアパネルとして、部屋と部屋とを仕切る引き戸タイプのドアに用いて好適なものである。
【符号の説明】
【００６５】
１０        ペット用ドアパネル
１２        パネル
１４        扉
１６、１８        固定部
２０、２２、２４、２６        板バネ
３０        引き戸
３２        鴨居
３４、３８        溝
３６        敷居
４０        柱
【図１】
2011149206.tif 000003
【図２】
2011149206.tif 000004
【図３】
2011149206.tif 000005
【図４】
2011149206.tif 000006
【図５】
2011149206.tif 000007
【図６】
2011149206.tif 000008
【図７】
2011149206.tif 000009
【図８】
2011149206.tif 000010
【図９】
2011149206.tif 000011